(57)【要約】【課題】本発明は、ベットと車椅子間に掛架し、要介護者が着座した状態でベットと車椅子間を９０度旋回して移動できる簡便な構造のスライディングプレートを提供し、要介護者のベッドと車椅子間移動時における介助者の身体的、精神的負担の軽減を課題とする。【解決手段】ベッドと、サイドガードを横に倒せる横乗りタイプの車椅子との間に着脱可能に掛架する下部プレートと、下部プレート上に載置し要介護者を着座させてスライド移動する上部プレートとで構成され、下部プレートは上部プレートに要介護者を着座させたままでの９０度旋回移動を可能にする円弧状のガイドロール誘導溝が穿設されたＬ字の屈曲部を円弧状に形成され、上部プレートはその裏面にはガイドロール誘導溝に緩挿される２個のガイドロールと、下部プレートの上面に当接して上部プレートの移動を滑らかにする複数のボールキャスターを備えてなるスライディングプレートによる。【選択図】  図１
2020000334.tif 000002
【特許請求の範囲】
【請求項１】
ベッドと、肘掛けを跳ね上げるとサイドガードが横に倒せる横乗りタイプの車椅子との間に掛架し、要介護者のベッドと車椅子間の移乗を介助するスライディングプレートであって、
ベッドと車椅子間に掛架する下部プレートと、該下部プレート上にスライド移動可能に載置され、要介護者を着座させて移動する上部プレートとで構成されてなることを特徴とするスライディングプレート。
【請求項２】
下部プレートが、要介護者のベッドと車椅子間の移乗時に必要となる身体の９０度旋回を着座状態で可能にする円弧状のガイドロール誘導溝が穿設されたＬ字の屈曲部を円弧状に形成された幅広で厚手の板状体であり、
上部プレートは、その裏面に前記下部プレートのガイドロール誘導溝に緩挿される２個のガイドロールと、下部プレートの上面に当接して上部プレートの滑らかなスライド移動を可能とする複数のボールキャスターが２列、該上部プレートのスライド移動時に下部プレートのガイドロール誘導溝に脱落することのない配列で備えられてなることを特徴とする請求項１に記載のスライディングプレート。
【請求項３】
下部プレートの車椅子への装着が、下部プレートの一方の端部裏面に突設された２本の固定ピンを、車椅子の座席サイドに設けられた固定ピン挿入孔へ着脱可能に挿入して行われることを特徴とする請求項１又は２に記載のスライディングプレート。
【請求項４】
下部プレートが、円弧状に形成してなる屈曲部で二つ折り可能に構成され、スライディングプレート不使用時には折り畳み、車椅子の床面や背面へ常備、あるいはベッド下への収納保管を可能にしてなることを特徴とする請求項１〜３のいずれか１項に記載のスライディングプレート。
【発明の詳細な説明】
【技術分野】
【０００１】
要介護者のベッドと車椅子との間に掛架し、要介護者のベッドと車椅子間の移動介助を容易にするスライディングプレートに関する。
【背景技術】
【０００２】
従来から、歩行困難な要介護者をベッドから車椅子へ、車椅子からベッド移動させる際、介助者は中腰で要介護者を前から抱えて支え、９０度旋回させるという作業が必要となりこれが介助者の身体的、精神的に大きな負担となってきており、この負担を軽減するために、要介護者のベッドと車椅子間の移動を介助する装置の発明がなされてきた。
例えば要介護者を吊り上げてベッドと車椅子間を移動させる介護用リフトや、請求項１に「座席部や背も垂れ又は両方、或いは，一部全面がコンベアとなっている椅子並びに寝台」と記載された特許文献１の「介護用椅子や寝台」、
また、「スライディングボードを用いた要介護者の移乗支援方法、車椅子、及び移送具」と題する特許文献３の請求項１７に
「少なくとも一対の車輪（６１）が設けられた車体フレーム（１００）と、
前記車体フレーム（１００）に対して昇降具（２００）を介して実装された座部（３００）を備える車椅子（６０）であって、
前記座部（３００）は、少なくとも一つの移送機構（３４０）と、スライディングボード（８０）が取り付けられるボード取り付け部（３６０）を含み、
前記移送機構（３４０）は、少なくとも一対の回転軸部（３４２）と、前記少なくとも一対の回転軸部（３４２）に無端状に巻き掛けられたシート材（３４４）を含み、
前記ボード取り付け部（３６０）に取り付けられる前記スライディングボード（８０）の上面が、前記座部（３００）の座面を提供する前記シート材（３４４）の上面に上下で重ならない態様で隣接して配置可能である、車椅子。」
と記載された車椅子、
さらには、特許文献３の「ベッド車椅子間移動補助装置」など多様な発明が開示されている。
しかしこれらの発明の多くは、機構が複雑で高価になると思われ、自分では起き上がれず歩行も困難といった重度の障害を持つ要介護者への対応や、多数のベッドを備えた病院等の施設における活用は期待できるが、ベッドには着座できるが歩行困難という要介護者への対応やベッド数の少ない施設においては、導入しにくいという問題があった。
【先行技術文献】
【特許文献】
【０００３】
【特許文献１】特開２０００−２０１９７８号公報
【特許文献２】特開２０１７−１４０３６６号公報
【特許文献３】特開２０１８−２９８５５公報
【発明の概要】
【発明が解決しようとする課題】
【０００４】
本発明は、上記背景技術に鑑みなされたもので、ベットと車椅子間に掛架し、要介護者が着座した状態でベットと車椅子間を９０度旋回して移動できる簡便な構造で安価に製造できる介助具としてのスライディングプレートを提供し、要介護者のベッドと車椅子間の移動介助における介助者の身体的、精神的負担を軽減することを課題として行ったものである。
【課題を解決するための手段】
【０００５】
本発明者らは上記課題を下記の手段により解決した。
（１）ベッドと、肘掛けを跳ね上げるとサイドガードが横に倒せる横乗りタイプの車椅子との間に掛架し、要介護者のベッドと車椅子間の移乗を介助するスライディングプレートであって、
ベッドと車椅子間に掛架する下部プレートと、該下部プレート上にスライド移動可能に載置され、要介護者を着座させて移動する上部プレートとで構成されてなることを特徴とするスライディングプレート。
（２）下部プレートが、要介護者のベッドと車椅子間の移乗時に必要となる身体の９０度旋回を着座状態で可能にする円弧状のガイドロール誘導溝が穿設されたＬ字の屈曲部を円弧状に形成された幅広で厚手の板状体であり、
上部プレートは、その裏面に前記下部プレートのガイドロール誘導溝に緩挿される２個のガイドロールと、下部プレートの上面に当接して上部プレートの滑らかな移動を可能とする複数のボールキャスターが２列、該上部プレート移動時に下部プレートのガイドロール誘導溝に脱落することのない配列で備えられてなることを特徴とする（１）に記載のスライディングプレート。
【０００６】
（３）下部プレートの車椅子への装着が、下部プレートの一方の端部裏面に突設された２本の固定ピンを、車椅子の座席サイドに設けられた固定ピン挿入孔へ着脱可能に挿入して行われることを特徴とする（１）又は（２）に記載のスライディングプレート。
（４）下部プレートが、円弧状に形成してなる屈曲部で二つ折り可能に構成され、スライディングプレート不使用時には折り畳み、車椅子の床面や背面へ常備、あるいはベッド下への収納保管を可能にしてなることを特徴とする（１）〜（３）のいずれか１項に記載のスライディングプレート。
【発明の効果】
【０００７】
本発明のスライディングプレートによって下記の効果が発揮できる。
〈１〉ベッドと、肘掛けを跳ね上げるとサイドガードが横に倒せる横乗りタイプの車椅子との間に掛架し、要介護者のベッドと車椅子間の移乗を介助するスライディングプレートであって、
ベッドと車椅子間に掛架する下部プレートと、該下部プレート上にスライド移動可能に載置され、要介護者を着座させて移動する上部プレートとで構成されているので、
構造が簡単で取り扱いやすく、量産に適し低価格で提供できる。
〈２〉下部プレートが、要介護者のベッドと車椅子間の移乗時に必要となる身体の９０度旋回を着座状態で可能にする円弧状のガイドロール誘導溝が穿設されたＬ字の屈曲部を円弧状に形成された幅広で厚手の板状体であり、
上部プレートは、その裏面に前記下部プレートのガイドロール誘導溝に緩挿される２個のガイドロールと、下部プレートの上面に当接して上部プレートの滑らかなスライド移動を可能とする複数のボールキャスターが２列、該上部プレート移動時に下部プレートのガイドロール誘導溝に脱落することのない配列で備えられているので、
従来要介護者がベッドと車椅子間を移動する際に必要とされた介助者による身体の９０度旋回が、上部プレートに着座した要介護者を軽く押すだけで行え、従来介助者が中腰で要介護者を支えて旋回させる作業から開放され、身体的負担と精神的負担のいずれからも開放される。
【０００８】
〈３〉下部プレートの車椅子への装着が、下部プレートの一方の端部裏面に突設された２本の固定ピンを、車椅子の座席サイドに設けられた固定ピン挿入孔へ着脱可能に挿入して行われるので
既設の横乗りタイプの車椅子の座席サイドに固定ピン挿入孔を設けるという僅かな改修によってスライディングプレートの装着が可能になり、スライディングプレート使用時には前記車椅子の固定ピン挿入孔に下部プレート裏面の２本の固定ピンを挿入してベッドとの間に掛架した後、車椅子のブレーキを作動させておけば、要介護者のベッドと車椅子間の安全な移動が確保され、車椅子に移乗した後にスライディングプレートを取り外せば、移動体としての車椅子の機能が発揮できる。
〈４〉下部プレートが、円弧状に形成してなる屈曲部で二つ折り可能に構成され、スライディングプレート不使用時には折り畳み、車椅子の床面や背面へ常備、あるいはベッド下への収納保管を可能にしているので、
スライディングプレートは常に使用場所近傍に存在し、必要の際即座に取り出して装着でき緊急事態に対しても即応できる。
【図面の簡単な説明】
【０００９】
【図１】本発明実施例のスライディングプレレートをベッドと車椅子間に掛架した状態を示す平面図
【図２】本発明実施例のスライディングプレレートを車椅子に装着した状態を示す斜視図
【図３】本発明実施例のスライディングプレートの上部プレートと下部プレートの表面図（ａ）及び裏面図（ｂ）
【発明を実施するための形態】
【００１０】
本発明のスライディングプレートを実施するための形態を、実施例の図に基づいて説明する。
図１は本発明のスライディングプレレートをベッドと車椅子間に掛架した状態を示す平面図であり、図２は本発明の本発明のスライディングプレレートを車椅子に装着した状態を示す斜視図、図３は本発明のスライディングプレートの上部プレートと下部プレトの表面図（ａ）及び裏面図（ｂ）である。
図において１はスライディングプレート、１１は上部プレート、１１ａはガイドロール、１１ｂはボールキャスター、１２は下部プレート、１２ａはガイドロール誘導溝、１２ｂは車椅子への固定ピンであり、２０は車椅子、２１は肘掛け、２２はサイドガード、２３は座部、３０はベッドを示す。
【００１１】
本発明のスライディングプレート１は、図２に示すように肘掛け２１を後方に跳ね上げるとサイドガード２２が横に倒せて移動用ボードとなる横乗り式の車椅子２０とベッド３０との間に図１に示すように掛架して使用するものであり、仰臥面の高さが車椅子の２０の座席面の高さに調節可能なベッド３０との間で使用されるものである。
本発明のスライディングプレート１は、図３に示すように要介護者を着座させて移動する上部プレート１１と、該上部プレート１１を移動可能に載置して車椅子２０とベッド３０間に掛架される下部プレート１２とで構成されている。
下部プレート１２は、要介護者がベッド３０と車椅子２０間移乗時に必要となる身体の９０度旋回を着座状態で可能にする円弧状のガイドロール誘導溝１２ａが穿設されたＬ字の屈曲部を円弧状に形成された幅広で厚手の板状体でなり、
上部プレート１１は、図３（ｂ）に示すように、裏面に前記下部プレート１２のガイドロール誘導溝１２ａに緩挿される２個のガイドロール１１ａと、下部プレート１２の上面に当接して上部プレート１１の滑らかな移動を可能とする複数のボールキャスター１１ｂが２列、該上部プレート１１の移動時に下部プレート１２のガイドロール誘導溝１２ａに脱落することのない配列で備えられている。
そして下部プレート１２の一方の端部裏面には．図３（ｂ）に示すように、２本の固定ピン１２ｂが突設され、該固定ピン１２を車椅子２０の肘掛け２１を後方に跳ね上げて横に倒されたサイドガイド２２の倒された側の座部２３の端部に設けられた固定ピン挿入孔（図示せず）に挿入することによってスライディングプレート１の車椅子２０とベッド３０との間の安全な掛架を可能にしている。なおこのスライディングプレート１の車椅子への固定は固定ピン１２ｂを固定ピン挿入孔へ挿入して行うものに限られることなく、スライディングプレート１使用時における要介護者移動の安全が確保され、かつ手軽に着脱可能な機構であればよい。
【００１２】
また、前記下部プレート１２は、円弧状に形成してなる屈曲部で二つ折り可能に構成し、スライディングプレート１不使用時には折り畳み、車椅子２０の床面や背面へ常備し、あるいはベッド３０下への収納保管を可能にしておくことも、緊急事態に即応できるので好ましい。
【００１３】
本スライディングプレート１を使用する際の介助者の作業手順は、
ａ．要介護者の仰臥したベッド３０の脇に車椅子２０を配置し、ベッドの仰臥面を車椅子２０の座部２３の高さに一致させる第１ステップ
ｂ．高さ調節し終えたベッド３０の肘掛け２１を跳ね上げてサイドガイドを横に倒し、下部プレート１２裏面の固定ピン１２ｂを、車椅子２０の座部２３の固定ピン挿入孔に挿入して、下部プレート１２を車椅子２０とベット間に掛架する第２ステップ
ｃ．車椅子とベッド間に掛架された下部プレート１２のガイドロール誘導溝１２ａに上部プレート１１裏面のガイドロール１２ａを緩挿して上部プレート１１を下部プレート１２に載置する第３ステップ、
ｄ．仰臥した状態から起き上がらせてベッド３０脇に腰掛けさせた要介護を抱え、叉は掴まり立たせて横に移動させスライディングプレート１の上部プレート１１に着座させる第４ステップ、
ｅ．上部プレートに着座した着座した要介護者の体を押すなどして、上部プレート１１を下部プレート１２に沿って車椅子２０まで９０度旋回して移動させ、要看護者を車椅子２０の座部２３に着ささせる第５ステップ、
ｆ．ベッド２０と車椅子３０間に掛架競れた下部プレーと１２を上部プレート１１ともども取り外し、サイドガード２２と肘掛け２１とを元に戻しす第６ステップ
によってなされることとなる。
車椅子からベッドへの移動手段は上記ａ〜ｆのステップを逆に行うことによってなされればよい。
【符号の説明】
【００１４】
１：スライディングプレート
１１：上部プレート
１１ａ：ガイドロール
１１ｂ：ボールキャスター
１２：下部プレート
１２ａ：ガイドロール誘導溝
１２ｂ：固定ピン
２０：車椅子
２１：肘掛け
２２：サイドガード
２３：座部
３０：ベッド
【図１】
2020000334.tif 000003
【図２】
2020000334.tif 000004
【図３】
2020000334.tif 000005